(57)【要約】      （修正有）【課題】綿棒等がまとめて入った収納容器から１本の綿棒等を取り出す際に、隣接する綿棒等にも指が触れ不衛生になる場合が多いため、隣接する綿棒等の綿部に指が触れないように衛生的に１本づつ取り出せることを課題とする。【解決手段】容器又は容器の内部に、回転させると地面方向の一辺以上又は一面以上が狭まる構造の収納部が１つ以上あり、収納された綿棒等が重力によって自然に狭まった地面方向の一辺以上又は一面以上に降りてくる構造で、収納部に収納された綿棒等と平行な一箇所以上の取り出し口が開口した構造の綿棒等収納取り出し容器で、取り出し口から綿棒等の棒部分を持ちつまんで取り出す。つまんで取り出した空間には上部より重力で、綿棒等が自動的に地面方向に狭まった構造の収納部に下がってきて、最後の１本まで衛生的に綿棒等を取り出すことが出来る。【選択図】図１０
2020083348.tif 000002
【特許請求の範囲】
【請求項１】
容器又は容器の内部に、回転させると地面方向の一辺以上又は一面以上が狭まる構造の収納部が１つ以上あり、収納された綿棒等が重力によって自然に狭まった地面方向の一辺以上又は一面以上に降りてくる構造で、収納部に収納された綿棒等と平行な一箇所以上の取り出し口が開口した構造の綿棒等収納取り出し容器。
【発明の詳細な説明】
【技術分野】
【０００１】
本発明は、綿棒等の収納容器の形状、及び構造に関する。
【背景技術】
【０００２】
従来は、綿棒等がまとめて入った収納容器から１本の綿棒等を取り出す際には、隣接する綿棒等にも指が触れてしまう場合が多い。
【発明の概要】
【発明が解決しようとする課題】
【０００３】
綿棒等がまとめて入った収納容器から１本の綿棒等を取り出す場合、隣接する綿棒等の綿部等に指が触れないように衛生的に１本づつ取り出せるようにする。
【課題を解決するための手段】
【０００４】
本発明は、容器又は容器の内部に、回転させると地面方向の一辺以上又は一面以上が狭まる構造の収納部が１つ以上あり、収納された綿棒等が重力によって自然に狭まった地面方向の一辺以上又は一面以上に降りてくる構造で、収納部に収納された綿棒等と平行な一箇所以上の取り出し口が開口した構造の綿棒等収納取り出し容器で、取り出し口から綿棒等の棒部分を持ちつまんで取り出す。つまんで取り出した空間には上部より重力で、綿棒等が自動的に地面方向に狭まった構造の収納部に下がってきて、最後の１本まで衛生的に綿棒等を取り出すことが出来る。取り出し口は地面方向とその上部にも取り付けることで、上部にある綿棒等も取り出すことが出来る。またつまみ口をつなげる事でよりつまみやすくすることも可能である。
【発明の効果】
【０００５】
綿棒等の棒部分を持って取り出すので綿部等を衛生的に保管できる。
【図面の簡単な説明】
【０００６】
【図１】角柱の容器の中に、回転させると地面方向の一辺が狭まる構造の収納部を有し、取り出し口が地面方向に一箇所ある綿棒等収納取り出し容器の例
【図２】角丸四角柱の容器の中に、回転させると地面方向の一面が狭まる構造の収納部を有し、取り出し口が地面方向に一箇所ある綿棒等収納取り出し容器の例
【図３】図１の収納部に綿棒等を収納させた綿棒等収納取り出し容器の例
【図４】図１の取り出し口が二箇所ある綿棒等収納取り出し容器の例
【図５】図４の収納部に綿棒等を収納させた綿棒等収納取り出し容器の例
【図６】図１の取り出し口のつまみ口が地面方向から上部につながり上部からも取り出すことが可能な例
【図７】図６の収納部に綿棒等を収納させた綿棒等収納取り出し容器の例
【図８】角柱の容器の中に、回転させると地面方向の一辺が狭まる構造の収納部が４つに分かれた綿棒等収納取り出し容器の例
【図９】図８の収納部に綿棒等を収納させた綿棒等収納取り出し容器の例
【図１０】容器の中に、回転させる地面方向の二辺が狭まる構造の収納部を有し、取り出し口が地面方向とその上部に２箇所ある綿棒等収納取り出し容器の例
【発明を実施するための形態】
【０００７】
本発明を図１〜図10に従って説明すると、図１は角柱の容器の中に、回転させると１つの地面方向が狭まる構造の収納部を有し取り出し口が地面方向に一箇所あり、取り出し口から綿棒等の棒部分をつまんで取り出す。図２は角丸四角柱の容器の例で、図１と同様に取り出す。図３は図１の収納部に綿棒等を収納させた図である。図４、図５は取り出し口が二箇所ある綿棒収納取り出し容器の例である。図６、図７は取り出し口のつまみ口が地面方向から上部につながり上部からも取り出すことが可能な例である。図８、図９は角柱の容器の中に、４つの回転させると地面方向の一辺が狭まる構造の収納部に分かれ、取り出し口が地面方向から上部につまみ口がつながり複数個所より取り出すことが可能な綿棒等収納取り出し容器の例である。図10は容器の中に、回転させると二辺の地面方向が狭まる構造の収納部を有し、取り出し口が地面方向とその上部に二箇所ある綿棒等収納取り出し容器の例である。
【産業上の利用可能性】
【０００８】
綿棒等の収納容器を本発明品に変えることで、収納力、衛生面、利便性が向上する。
【符号の説明】
【０００９】
1              地面方向が狭まる構造の収納部
2              仕切り板
3              収納部の取り出し口
4              収納部の地面方向から上方向に伸びた取り出し口
5              綿棒等
【図１】
2020083348.tif 000003
【図２】
2020083348.tif 000004
【図３】
2020083348.tif 000005
【図４】
2020083348.tif 000006
【図５】
2020083348.tif 000007
【図６】
2020083348.tif 000008
【図７】
2020083348.tif 000009
【図８】
2020083348.tif 000010
【図９】
2020083348.tif 000011
【図１０】
2020083348.tif 000012
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
四角柱のような箱型容器の中に、前記箱型容器の前面下端から後面上端に伸びる対角の仕切り板によって内部を三角柱様の形状の前収納部、後収納部の２つに分けた構造、またはさらに前記箱型容器の前面上端から後面下端に伸びる対角の仕切り板によって内部を三角柱様の形状の前収納部、後収納部、上収納部、下収納部の4つに分けた構造の綿棒収納取り出し箱で、且つ、各収納部の綿棒等取り出し口は、それぞれ綿棒等を取り出す際に三角柱様の形状の端の地面方向となる位置の端側水平方向に開口したつまみ口を備える構造の綿棒収納取り出し箱。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
四角柱等の容器の中に、前記容器の前面下端から後面上端に伸びる対角の仕切り板によって内部を三角柱のような形状の前収納部、後収納部に分けた構造、またはさらに前記容器の前面上端から後面下端に伸びる対角の仕切り板によって内部を三角柱のような形状の前収納部、後収納部、上収納部、下収納部に分けた構造の綿棒収納取り出し容器で、且つ、各収納部の綿棒等取り出し口は、それぞれ綿棒等を取り出す際に三角柱様の形状の端の地面方向となる位置の端側水平方向に開口したつまみ口を備える構造の綿棒収納取り出し容器。
【手続補正３】
【補正対象書類名】明細書
【補正対象項目名】０００４
【補正方法】変更
【補正の内容】
【０００４】
本発明は、四角柱等の容器の中に、前記容器の前面下端から後面上端に伸びる対角の仕切り板によって内部を三角柱のような形状の前収納部、後収納部に分けた構造、またはさらに前記容器の前面上端から後面下端に伸びる対角の仕切り板によって内部を三角柱のような形状の前収納部、後収納部、上収納部、下収納部に分けた構造の綿棒収納取り出し容器で、且つ、各収納部の綿棒等取り出し口は、それぞれ綿棒等を取り出す際に三角柱様の形状の端の地面方向となる位置の端側水平方向に開口したつまみ口を備える構造の綿棒収納取り出し容器で、取り出し口から綿棒等の棒部分を持ちつまんで取り出す。つまんで取り出した空間には上部より重力で、綿棒等が自動的に地面方向に狭まった構造の収納部に下がってきて、最後の１本まで衛生的に綿棒等を取り出すことが出来る。取り出し口は地面方向とその上部にも取り付けることで、上部にある綿棒等も取り出すことが出来る。またつまみ口をつなげる事でよりつまみやすくすることも可能である。